(57)【要約】【課題】本発明は、振動手段により液体を微細化する液体微細化装置とそれを用いたサウナ装置に関するもので、振動手段が損傷するのを防止することを目的とするものである。【解決手段】そしてこの目的を達成するために本発明は、吸気口４と排気口５を有する本体ケース６と、この本体ケース６の前記吸気口４と排気口５を結ぶ送風路７に設けた送風機８と、前記送風路７における送風機８と排気口５間に設けた液体微細化手段９とを備え、前記液体微細化手段９は、振動手段１１と、この振動手段１１に気泡を含有した液体を供給する液体供給手段１２とを有する構成とした。【選択図】図２
2010032180.tif 000002
【特許請求の範囲】
【請求項１】
吸気口と排気口を有する本体ケースと、この本体ケースの前記吸気口と排気口を結ぶ送風路に設けた送風機と、前記送風路における送風機と排気口間に設けた液体微細化手段とを備え、前記液体微細化手段は、振動手段と、この振動手段に気泡を含有した液体を供給する液体供給手段とを有する液体微細化装置。
【請求項２】
液体供給手段は、空気と液体を混合する混合手段を有する請求項１に記載の液体微細化装置。
【請求項３】
振動手段は、振動本体を有し、この振動本体の表面に、気泡を含有した液体を供給する構成とした請求項１、または２に記載の液体微細化装置。
【請求項４】
振動手段は、フォーン形状の振動本体を有し、この振動本体の先端面に、気泡を含有した液体を供給する構成とした請求項１、または２に記載の液体微細化装置。
【請求項５】
振動手段は、振動本体を１００ＫＨｚよりも低い周波数で振動させる構成とした請求項１から４のいずれか一つに記載の液体微細化装置。
【請求項６】
排気口には、ルーバを設け、このルーバの液体微細化手段側には、含水手段を設けた請求項１から５のいずれか一つに記載の液体微細化装置。
【請求項７】
ルーバは皿状とし、この皿状のルーバ内に含水手段を設けた請求項６に記載の液体微細化装置。
【請求項８】
ルーバは、振動手段による液体の微細化時のみ、排気口を開口させる構成とした請求項７に記載の液体微細化装置。
【請求項９】
送風機は、振動手段による液体の微細化動作開始前と、微細化動作終了後も駆動させる構成とした請求項１から８のいずれか一つに記載の液体微細化装置。
【請求項１０】
請求項１から９のいずれか一つに記載の液体微細化装置を、サウナ室に設置したサウナ装置。
【発明の詳細な説明】
【技術分野】
【０００１】
本発明は、振動手段により液体を微細化する液体微細化装置とそれを用いたサウナ装置に関するものである。
【背景技術】
【０００２】
従来の、この種液体微細化装置、つまり振動装置により液体を微細化する液体微細化装置の構造は下記のようになっていた。
【０００３】
すなわち、吸気口と排気口を有する本体ケースと、この本体ケースの前記吸気口と排気口を結ぶ送風路に設けた送風機と、前記送風路における送風機と排気口間に設けた液体微細化手段とを備え、前記液体微細化手段は、容器の内底部に超音波振動子を配置した構成となっていた。
【０００４】
そして、この構成において、容器内に液体（水）を供給し、超音波振動子の振動により、液面上に液柱を形成し、この液柱から微細化された液体を発生させ、この微細化された液体を、送風機からの送風により、排気口を介してサウナ室に供給するようになっていた。
【０００５】
なお、これに類似する先行文献としては、下記特許文献１が存在する。
【特許文献１】特開２００８−６１００号公報
【発明の開示】
【発明が解決しようとする課題】
【０００６】
上記従来例における課題は、容器内への液体供給が出来ていない状態で、超音波振動子を駆動すると、超音波振動子がいわゆる空焚き状態となって損傷してしまうということであった。
【０００７】
そこで本発明は、液体の供給が出来ていない状態でも振動手段が損傷するのを防止することを目的とするものである。
【課題を解決するための手段】
【０００８】
そして、この目的を達成するために本発明は、吸気口と排気口を有する本体ケースと、この本体ケースの前記吸気口と排気口を結ぶ送風路に設けた送風機と、前記送風路における送風機と排気口間に設けた液体微細化手段とを備え、前記液体微細化手段は、振動手段と、この振動手段に気泡を含有した液体を供給する液体供給手段とを有する構成とし、これにより初期の目的を達成するものである。
【発明の効果】
【０００９】
以上のごとく本発明は、吸気口と排気口を有する本体ケースと、この本体ケースの前記吸気口と排気口を結ぶ送風路に設けた送風機と、前記送風路における送風機と排気口間に設けた液体微細化手段とを備え、前記液体微細化手段は、振動手段と、この振動手段に気泡を含有した液体を供給する液体供給手段とを有する構成としたものであるので、液体を供給出来ていない状態でも、振動手段が損傷するのを防止することが出来る。
【００１０】
すなわち、本発明の振動手段は、液体供給手段から気泡を含有した液体を供給し、それによって液体を微細化するものであるので、振動手段自体への振動エネルギーを必要以上に大きくしなくても、十分に液体の微細化が行え。つまり、この振動手段に供給する液体は気泡が含有された状態であるので、気泡が破裂するエネルギーを液体の微細化に活用することが出来、それにより振動手段自体への振動エネルギーを必要以上に大きくしなくても、十分に液体の微細化が行え、その結果として液体を供給出来ていない状態でも、振動手段が損傷するのを防止することが出来るのである。
【発明を実施するための最良の形態】
【００１１】
以下本発明の一実施形態を添付図面を用いて説明する。
【００１２】
図１において、１はサウナ室で、このサウナ室１の天井２の上面には液体微細化装置３が設置されている。
【００１３】
液体微細化装置３は、図２に示すように、吸気口４と排気口５を有する本体ケース６と、この本体ケース６の前記吸気口４と排気口５を結ぶ送風路７に設けた送風機８と、前記送風路７における送風機８と排気口５間に設けた液体微細化手段９により構成されている。
【００１４】
また、前記液体微細化手段９は、図２、図３に示すごとくフォーン形状の振動本体１０を有する振動手段１１と、このフォーン形状の振動本体１０の先端表面に、気泡を含有した液体を供給する液体供給手段１２とを有する構成としている。
【００１５】
液体供給手段１２は、空気と液体を混合する混合手段１３を有し、この混合手段１３で液体（水）と空気を混合し、これにより液体中に、小さな風船状の空気（バブル）が均一状態で混入した状態となっており、この様に小さな風船状の空気（バブル）が均一状態で混入した液体が、パイプ１４を介して上述したフォーン形状の振動本体１０の先端表面に供給されるようになっている。
【００１６】
さて、本実施形態では、振動本体１０を１００ＫＨｚよりも低い周波数で振動させる構成とした。
【００１７】
つまり、現在一般的に市販されているものよりも低い周波数で駆動することとした。その理由は、駆動周波数を低下させれば、その分制御装置のコストを下げることが出来るからであり、またこのように駆動周波数を下げても十分に必要とする液体微細化が出来るからである。
【００１８】
振動本体１０の駆動周波数を低下させても液体微細化が十分に行える理由は、本実施形態では上述のごとく、小さな風船状の空気（バブル）が均一状態で混入した液体を、パイプ１４を介して上述したフォーン形状の振動本体１０の先端表面に供給するからである。
【００１９】
つまり、このように小さな風船状の空気（バブル）が均一状態で混入した液体がフォーン形状の振動本体１０の先端表面に供給されると、混入空気が破裂する時のエネルギーが、液体の微細化に活用されるので、上述のごとく振動本体１０の駆動周波数を低下させても液体微細化が十分に行えるのである。
【００２０】
そして、このように微細化された液体は送風機８からの送風に搬送されて排気口５から、サウナ室１内へと供給され、サウナが体感されることになる。
【００２１】
なお、このような液体の微細化動作においても一部の液体が微細化されずに排気口５から、サウナ室１内へと滴下する状態も考えられる。
【００２２】
そこで本実施形態では、排気口５には、図４、図５に示す皿状のルーバ１５を設け、この皿状のルーバ１５内、つまり液体微細化手段９側には、含水手段１６を設けた。
【００２３】
ルーバ１５は、振動手段１１による液体の微細化時のみ、排気口５を開口させる構成としており、この液体の微細化後は、図２のごとく排気口５を閉鎖している。
【００２４】
また、振動手段１１による液体の微細化時には、図２の状態からルーバ１５が開放状態となるが、その時でも液体微細化手段９の下には必ずルーバ１５内の含水手段１６が存在するようになっている。
【００２５】
したがって、上記微細化されずに排気口５からサウナ室１内へと滴下する液体は含水手段１６で保持され、この結果としてサウナ室１内への非微細化滴下は発生しなくなる。
【００２６】
そして、この含水手段１６で保持した液体は送風機８から排気口５へと向かう温風により蒸発することで、処理が行える。
【００２７】
なお、図２、図３における１７はドレインバルブで、このドレインバルブ１７を開放することによる排水も上記含水手段１６で保持することが出来る。
【産業上の利用可能性】
【００２８】
以上のごとく本発明は、吸気口と排気口を有する本体ケースと、この本体ケースの前記吸気口と排気口を結ぶ送風路に設けた送風機と、前記送風路における送風機と排気口間に設けた液体微細化手段とを備え、前記液体微細化手段は、振動手段と、この振動手段に気泡を含有した液体を供給する液体供給手段とを有する構成としたものであるので、液体を供給出来ていない状態でも、振動手段が損傷するのを防止することが出来る。
【００２９】
すなわち、本発明の振動手段は、液体供給手段から気泡を含有した液体を供給し、それによって液体を微細化するものであるので、振動手段自体への振動エネルギーを必要以上に大きくしなくても、十分に液体の微細化が行え。つまり、この振動手段に供給する液体は気泡が含有された状態であるので、気泡が破裂するエネルギーを液体の微細化に活用することが出来、それにより振動手段自体への振動エネルギーを必要以上に大きくしなくても、十分に液体の微細化が行え、その結果として液体を供給出来ていない状態でも、振動手段が損傷するのを防止することが出来るのである。
【００３０】
したがって、サウナ装置への活用が期待される。
【図面の簡単な説明】
【００３１】
【図１】本発明の一実施形態を示す斜視図
【図２】その液体微細化装置３の拡大断面図
【図３】その液体微細化装置３の要部拡大斜視図
【図４】その液体微細化装置３の要部拡大斜視図
【図５】その液体微細化装置３の要部拡大分解斜視図
【符号の説明】
【００３２】
１    サウナ室
２    天井
３    液体微細化装置
４    吸気口
５    排気口
６    本体ケース
７    送風路
８    送風機
９    液体微細化手段
１０  振動本体
１１  振動手段
１２  液体供給手段
１３  混合手段
１４  パイプ
１５  ルーバ
１６  含水手段
１７  ドレインバルブ
【図１】
2010032180.tif 000003
【図２】
2010032180.tif 000004
【図３】
2010032180.tif 000005
【図４】
2010032180.tif 000006
【図５】
2010032180.tif 000007